(57)【要約】【課題】本発明の目的は情報の閲覧者に対し動きのある訴求効果の高いページの作成更新を、プログラムの知識が浅い製作者でも本発明により提供されるエディターの機能を利用し簡単に自動または半自動で作成更新が出来るプログラムを提供することにある。【解決手段】本発明は製作者のコンピューターに記憶保存される画像、図形およびテキストファイル、テキストデータを本発明により提供される図１から図９までのエディターの機能を利用し製作者の所望する画像、図形およびテキストファイル、テキストデータをエディターにより提供される動きを選択し、または機能を使い、画像、図形およびテキストファイル、テキストデータを加工し、表示したいページの位置に表示させる機能を持ったプログラムを提供する。【選択図】          図１
2006048612.tif 000002
【特許請求の範囲】
【請求項１】
ホームページ製作において製作者がホームページ内の任意の指定したフレーム部分で、製作者が伝えたい画像、図形およびテキストファイル、テキストデータを、本発明によるエディターの機能を利用し作成更新された画像、図形およびテキストファイル、テキストデータを指定されたホームページの位置で、任意の設定した大きさ、表示される順番、画質、切り替え時間、描画方法で、表示することが自動、半自動で作成更新が出来るプログラム。
【請求項２】
ＨＴＭＬで作成されたテキスト及び画像ページに、当該プログラムにより作成された画像、図形およびテキストファイル、テキストデータを、指定された位置に情報を貼り付け、カーソルなどの指示部が当たったときに指定された位置に貼り付けた当該プログラム内で作成された情報が、指定された順番で且つ、指定された時間、または描画方法通りに表示するプログラム。
【請求項３】
請求項１、請求項２のエディターにより作成更新された画像、図形およびテキストファイル、テキストデータの属性情報やリンク先情報などがコンピューターに記憶保存されホームページ閲覧者、またはページ閲覧者に対しどの様な心象を与えているのか、閲覧者の閲覧ログの解析をし、閲覧回数、日時、閲覧者が興味を持ち見比べた情報や、見た時間の長さ、閲覧した情報の属性など、からユーザーの心象やニーズを解析するシステム。
【発明の詳細な説明】
【発明の詳細な説明】
【技術分野】
【０００１】  この発明は、ホームページ内またはＨＴＭＬで作られたページの作成更新プログラムに係わり、複数の画像、図形およびテキストファイル、テキストデータ情報を拡大表示や指定された順番で且つ、指定された時間通りに表示するページを容易に自動又は半自動に作成又は更新するプログラムであり、また本プログラムにより作成されたページの閲覧者のログ解析に関する。
【背景技術】
【０００２】  従来のホームページまたは、ＨＴＭＬで作成されたページは、画像部とテキスト部がページ内のフレームにより分類され構築されている。画像部には表現すべき画像が張られ、テキスト部には伝えるべき内容の情報が記載されている。閲覧者は、提供される画像情報およびテキスト情報から、興味があり欲しい情報が在るのかを類推し、クリックし閲覧したいページを探し出すまで次々とページを選択している。また、ホームページのログを解析するシステムはあるが、本発明のように指定されたフレーム内で動きのある画像およびテキスト情報が切り替わり表示されるホームページのログを解析するシステムはない。
【発明が解決しようとする課題】
【０００３】  しかしながら、以上の技術によれば、閲覧者は興味がある情報を探すために、いくつもの階層化されたページを次々と閲覧しなければならず、不便であり時間がかかった。また、複数の画像、図形およびテキストファイル、テキストデータを効果的に演出する機能として動きのあるマルチメディアコンテンツを作成するオーサリングツールなどがあるがホームページを作る際にもプログラムに関する知識の少ない製作者には利用できない高度なプログラムである。
そこで、この発明はプログラムの知識が浅くても作成更新が出来るエディターを提供し製作者が伝えたいページイメージさえあれば、提供されるエディターの機能を選択するだけで高度なプログラム知識がなければ作れなかった、ホームページのダイジェスト情報や、動きのある画像、図形およびテキストファイル、テキストデータが自動および半自動で作成更新され、さらに画像を小さく表示できることから今までにない一覧性をもち、且つ、一覧表示された情報を閲覧者が操作するカーソルなどの指示部が当たるだけで拡大や、分類されたダイジェスト情報が指定された時間で切り替わり表示されるページを簡単に作成更新できるプログラムを提供すことを目的にする。
【０００４】  またこれまでの技術では動きのあるマルチメディアコンテンツを作成するオーサリングツールなどでは情報が一つとして加工処理されることからログ解析が出来なかったが、本発明により提供されるエディターにより作成された情報は、どの様な動きがあっても表示される１つ１つの画像、図形およびテキストファイル、テキストデータの情報はコンピューター内の記憶保存先やリンク先の情報が記憶保存されていることから閲覧者のログを解析することによりニーズの解析が出来るプログラムの提供をすることを目的とする。
【課題を解決するための手段】
【０００５】  以上の課題を解決するために第一発明によれば、本発明により提供されるエディターの機能を利用し複数の画像、図形およびテキストファイル、テキストデータを表示して製作者が所望の画像、図形およびテキストファイル、テキストデータを選択しその画像、図形およびテキストファイル、テキストデータを用いた静止画または動きのあるホームページ又はテキストページを作成又は更新を指示するプログラムであって、記憶されている複数の画像、図形およびテキストファイル、テキストデータを表示するとともに製作者が所望の画像、図形およびテキストファイル、テキストデータを選択する機能と製作者がホームページ又はテキストページで所望する表示される画像、図形およびテキストファイル、テキストデータの表示される位置と大きさと順番と動きと画質を選択する機能と製作者がホームページ又はテキストページ作成処理の開始を指示する機能と製作者が所望の画像、図形およびテキストファイル、テキストデータを選択し表示される動きを選択し製作者がホームページ又はテキストページ作成処理の開始を指示すると前期選択した画像、図形およびテキストファイル、テキストデータを用いて選択された動きのある画像、図形およびテキストファイル、テキストデータを自動でホームページ又はテキストページの作成又は更新をする機能をコンピューターに実現させることを特徴としている。
【０００６】  第二発明は、第一発明で考案されたプログラムは、ホームページの作成更新だけではなく、ＨＴＭＬで作られたページの作成更新をすることが出来、製作者が指定する位置に、本発明により提供されるエディターの機能により作成更新された動きのある画像、図形およびテキストファイル、テキストデータを表示することが出来ることを特徴とするプログラムである。
【０００７】  第二発明は第一発明、第二発明によればエディターで作成更新され表示された情報は情報の属性、リンク先などの情報がコンピューター内に記憶保存されていることからページ内に作成された画像、図形およびテキストファイル、テキストデータがカーソルなどの指示部が当たると次々と製作者の意図に従った順番と切り替え時間に従い表示された情報がホームページ閲覧者、またはページ閲覧者に対しどの様な心象を与えているのか、閲覧者の閲覧ログの解析をし、閲覧回数、日時、見比べた情報や、見た時間の長さ、閲覧した情報の属性などからユーザーニーズを解析するシステム
【発明を実施するための最良の形態】
【０００８】  この発明の一実施形態を、図面を持って説明する。なお、以下に説明する機能、配置等は本発明を限定するものではなく、本発明の趣旨の範囲内で改変することが出来るものである。【０００９】  本明細書中で「コンピューター」とは、演算装置を備えた情報端末すべてを含む意味である。たとえば、スーパーコンピューター，汎用コンピューター，オフィスコンピューター，制御用コンピューター、ワークステーション、パソコンのほか携帯情報端末、演算装置を備えた携帯電話等をも含む。【００１０】  なお、本実施形態においては、インターネットを利用しているが、ＬＡＮ、ＷＡＮによりコンピューターを接続したプライベートの通信網、専用線による通信、携帯情報端末の公衆情報通信網、その他の公衆通信網であっても良い。【００１１】  本実施形態のエディター機能は、ホームページの新しいページの作成更新方法と新しい描画作成更新を目的とするが、ＨＴＭＬで作られたプログラムや、ＨＴＭＬで作られたソフトウエアーのページ作成更新に利用することが出来る。【００１２】  製作者とは、ホームページを作成する個人または企業、団体であり、又は、ＨＴＭＬで記述されたソフトウエアーで作られたページに本発明を利用する個人または企業、団体。【００１３】  企業とはコンピューターを利用する会社、組織、団体である。【００１４】  図１に本発明により提供されるエディターのプログラムをフローチャートとして示し、各々のステップについて符号をもって説明する。【００１５】  Ｓ１はベースとなるコンテンツを、エディターで入力されたＭｏｔｉｏｎ本体のアプレットの大きさ、背景の色、背景の画像を用いて初期化する。また、コンテンツ上に設置するボタンを配置するための余白の大きさを、エディターで入力されたＭｏｔｉｏｎ本体の一覧画像の位置を用いて設定する。【００１６】  Ｓ２はボタンを作成するための情報であるアイテムセットを参照するための変数ｎ１を初期化するために、１を設定する。【００１７】  Ｓ３はアイテムセットを変数ｎ１を用いて取得する。【００１８】  Ｓ４はコンテンツ上に設置するためのボタンにレイヤーセットに設置するために、一時的な作業領域としてＢｕｔｔｏｎを作成する。【００１９】  Ｓ５はボタンに設置するためのレイヤーセットを参照するための変数ｎ２を初期化するために、１を設定する。【００２０】  Ｓ６はレイヤーセットを変数ｎ１，ｎ２を用いて取得する。【００２１】  Ｓ７はレイヤーセットに格納された情報で画像を作成するための一時的な作業領域Ｂｕｆｆｅｒを作成する。【００２２】  Ｓ８はレイヤーセットに格納されているレイヤーを参照するための作業変数ｎ３を初期化するために、１を設定する。【００２３】  Ｓ９はボタンに設置するための画像を作成するための情報を、変数ｎ１，ｎ２，ｎ３を用いてレイヤーセットに格納されているレイヤーから取得する。【００２４】  Ｓ１０は取得したレイヤーに格納されている、画像を作るために用いるフォーマットを判定する。【００２５】  Ｓ１１は画像を作るために用いる画像データを、レイヤーに設定されたファイル名を用いて取得する。【００２６】  Ｓ１２は画像を作るために用いる画像データを、レイヤーに設定されたテキ���トデータ、描画位置、描画文字サイズ、描画フォントを用いて作成する。【００２７】  Ｓ１３は画像を作るために用いる画像データを、レイヤーに設定された描画位置、描画色、線種、描画する形を用いて作成する。【００２８】  Ｓ１４は作成された画像データを一時的な作業領域であるＢｕｆｆｅｒに、レイヤーに設定された透過値、設置位置を用いて設置する。【００２９】  Ｓ１５はレイヤーを参照するための変数ｎ３に、ｎ３の内容に１を足した結果を設定する。【００３０】  Ｓ１６はレイヤーを参照するための変数ｎ３とレイヤーセットから参照できるレイヤー数とを比較する。ｎ３がレイヤー数以下のときはＳ９に、ｎ３がレイヤー数より大きいときはＳ１７に分岐する。【００３１】  Ｓ１７はボタンに設置するための一時的な作業領域Ｂｕｆｆｅｒを、ボタンを作成するための一時的な作業領域Ｂｕｔｔｏｎに追加する。【００３２】  Ｓ１８はレイヤーセットを参照するための変数ｎ２に、ｎ２の内容に１を足した結果を設定する。【００３３】  Ｓ１９はレイヤーセットを参照するための変数ｎ２とコンテンツから参照できるレイヤーセット数とを比較する。ｎ２がレイヤーセット数以下のときはＳ６に、ｎ２がレイヤー数より大きいときはＳ２０に分岐する。【００３４】  Ｓ２０はコンテンツ上でボタンを動作させる上で、効果処理を行いたいかどうかを判定する。効果処理を行うときはＳ２１に、行わないときはＳ２２に分岐する。【００３５】  Ｓ２１はコンテンツ上に配置するボタンに、効果処理を行わせるための設定をする。【００３６】  Ｓ２２はコンテンツ上にボタンを、コンテンツの初期化時に取得した一覧画像の余白サイズ、現在参照しているボタンの参照位置を用いて追加配置する。【００３７】  Ｓ２３はアイテムセットを参照するための作業変数ｎ１に、ｎ１の内容に１を足した結果を設定する。【００３８】  Ｓ２４はアイテムセットを参照するための作業変数ｎ１とコンテンツに格納されているアイテムセット数とを比較し、ｎ１がアイテムセット数以下のときはＳ３に、ｎ１がアイテムセットより大きいときはＳ２５に分岐する。【００３９】  Ｓ２５はボタンが配置されたコンテンツの内容を、エディターの基本設定にある出力フォルダ、Ｍｏｔｉｏｎファイル名を用いて任意の場所に出力する。【００４０】  図２はモーション作成用の画像、図形およびテキストファイル、テキストデータのエディターであり、各種機能設定ボタンと出力先入力部とファイル名入力部と縮小画像表示部からなり、基本設定画面では左画面に選択された画像ファイルとリンク先情報、描画時間間隔、画像ファイルが表示される。【００４１】  図３は、モーション本体ボタンを押した図であり、アプレットの大きさが任意で変更できる入力部が表示され、背景の色の入力部、画像、図形およびテキストファイル、テキストデータ入力部が表示され、エディター内で加工した画像、図形およびテキストファイル、テキストデータの表示位置を指定できる入力部が表示される。【００４２】  図４は、モーションメニューの一覧画像ボタンを押した図であり、表示される画像、図形およびテキストファイル、テキストデータのサイズを指定する入力部と、隣接する画像、図形およびテキストファイ��、テキストデータとの距離間隔の画像入力部と、表示する画質をスライダーによる画質入力部と、画像につける影の色の色入力部と、影の透明度の透明度入力部があり、画像、図形およびテキストファイル、テキストデータが拡大される場合の、拡大画像サイズ入力部と、拡大される画質のスライダーによる画質入力部と、一覧画像を対象に動きをさせるのかの確認チェックボタンと、拡大すると画面からはみ出る場合、位置を補正するかの確認チェックボタンが表示される。【００４３】  図５は、メニューにある描画効果を表した図であり、画像、図形およびテキストファイル、テキストデータが描画される場合の描画の動きの種類がオプションとして用意されており、製作者は所望する動きの描画をするオプションを選択するだけで、選択された画像、図形およびテキストファイル、テキストデータに選択された動きの描画が反映される。【００４４】  図６は、メニューにある追加ボタンを押した図であり、変更ボタンを押しイメージの画像サイズの変更と、追加ボタンを押し、表示される機能ボタンを押すことにより画像、図形およびテキストファイル、テキストデータの追加が出来、変更された情報が左画面に出力され確認出来る。【００４５】  図７は、アニメーション設定機能であり、メニューのアニメーションの設定をクリックすると表示され、アニメーションの設定に確認チェックを入れ、ファイル参照を押し表示したい画像、図形およびテキストファイル、テキストデータを選択すると、アニメーションとして表示する画像、図形およびテキストファイル、テキストデータとして入力され、作成開始ボタンを押すことにより指定されたとおりの動きが設定される。【００４６】  図８は、メニューのその他機能ボタンを押した画面であり、再設定の補助機能が提供される。【００４７】  図９はアニメーションの描画時間間隔設定画面であり、チェックボタンにチェックを入れ描画時間間隔を指定することにより画像、図形およびテキストファイル、テキストデータに表示され切り替わる描画時間間隔が反映される。【００４８】  図１０は本発明のエディターの手順のフローチャートを示し、各ステップについて符号を持って説明する。【００４９】  Ｓ３０はボタン表示する画像を、ハードディスク、ＣＤ−ＲＯＭなどから読み込む。【００５０】  Ｓ３１はボタンが押されたときに表示されるＷｅｂページのリンク先を設定する。【００５１】  Ｓ３２はアニメーションさせるときＳ３３、アニメーションさせないときはＳ３６に分岐する。【００５２】  Ｓ３３はアニメーションさせるためのフラグをＯＮにする。【００５３】  Ｓ３４はアニメーションさせるときに表示される画像を、ハードディスク、ＣＤ−ＲＯＭなどから読み込む。【００５４】  Ｓ３５はアニメーションさせるときの画像の切り替え時間を設定する。【００５５】  Ｓ３６は他にも配置させたいボタンがあるときはＳ３０、これで終了のときはＳ３７に分岐する。【００５６】  Ｓ３７はコンテンツの出力先となるハードディスクを設定する。また出力を行うファイル名を設定する。【００５７】  Ｓ３８はコンテンツの大きさ、背景の色や画像ファイルを設定する。また一覧画像を配置するときの余白を、上余白、下余白、左余白、��余白に設定する。【００５８】  Ｓ３９は一覧画像の配置に使用するサイズ、隣接画像との縦距離と横距離、画像の画質、表示する影の色と透過率を設定する。【００５９】  Ｓ４０はボタンをポインタで重ねたときに発生する、画像の拡大で使用する画像のサイズと、画像の画質、拡大する際に生じる動作の仕方を設定する。【００６０】  Ｓ４１は一覧を表示する方法である描画設定を選択する。【００６１】  Ｓ４２は変換開始。【００６２】  図１１は本発明による情報作成更新エディターの機能を利用し作成されたデジタルカメラ商品情報ホームページの一例である。
図１１のホームページのように、表示された商品画像はカーソルなどの指示部があたるとあらかじめエディターにて指定又は加工された大きさに画像が拡大しユーザビリティを向上すると同時に、拡大された商品画像が拡大されたまま次々と、画像や商品の内容を伝えるテキストなどがエディター機能を利用しエディター内にて、あらかじめ指定された順番や時間通りに切り替わることが指定されたページ上の指定位置で表示される一例である。
【発明の効果】
【００６３】  第一発明または第二発明によれば、プログラムに関する知識が浅くても提供されるエディターの機能を利用し誰もが簡単に画像、図形およびテキストファイル、テキストデータを効果的に演出する機能として動きのあるマルチメディアコンテンツを作成することが出来る。
【００６４】  第一発明または第二発明によれば分類された情報が、指定された位置に指定さえた順番と指定された切り替え時間を持って組み込まれることから、インターネットを介し閲覧する閲覧者または、ページ閲覧者に対してはトップページで全ページのダイジェスト情報を見ることが出来、又、商品説明では細かな説明情報が次々と切り替わり表示される事から情報認知の利便性が著しく高まる。
【００６５】また、インターネットを介し閲覧する閲覧者または、ページ閲覧者に対しては、トップページでダイジェスト情報を見せる事が出来ることから、閲覧者にとっては不要なページを見なくてもすみ、不要なビューが軽減されることから不要なアクセスが減り情報配信サーバーの負荷が軽減される。
【００６６】  エディター内の情報はすべてＨＴＭＬで作成されることからホームページ作成だけでなくＨＴＭＬで作成されたページすべてに利用することが可能である。
【００６７】第三発明によれば、第一発明、または第二発明により閲覧者に対し分類された情報が閲覧者に対し訴求力の強い、動きのある画像、図形およびテキストファイル、テキストデータが提供される事から、閲覧者がどのような事柄に興味を持っているのかログの解析を通し、例えば閲覧された属性情報から話題性や、属性情報と閲覧時間との関係から閲覧者の興味の強さ等、閲覧者の心象の解析に利用出来る。
【図面の簡単な説明】
【００６８】
【図１】本実施プログラムのフローチャートを示す説明図である
【図２】エディターの初期画面でありモーション作成更新用の各種操作機能ボタンと画面が表示される。
【図３】モーション設定画面である。
【図４】一覧機能画面であり画像に関する設定を行う。
【図５】描画効果選択画面であリオプションとして提供される動きを選択する。
【図６】イメージサイズ設定画面である。
【図７】追加イメージ設定画面である。
【図８】その他機能設定画面である。
【図９】アニメーション描画時間間隔設定画面である。
【図１０】エディターのフローチャートである。
【図１１】作成されたホームページの一例である。
【図１】
2006048612.tif 000003
【図２】
2006048612.tif 000004
【図３】
2006048612.tif 000005
【図４】
2006048612.tif 000006
【図５】
2006048612.tif 000007
【図６】
2006048612.tif 000008
【図７】
2006048612.tif 000009
【図８】
2006048612.tif 000010
【図９】
2006048612.tif 000011
【図１０】
2006048612.tif 000012
【図１１】
2006048612.tif 000013